(57)【要約】  機器が、コントローラと、マイクロフォンから信号を受け取るための入力部とを含む。コントローラは、マイクロフォンからの信号を処理して利用者による消耗品の使用に関連する音を検出し、その音を検出することに応じて出力を生成する。例えば、消耗品は予め梱包されていても良く、音が梱包容器に関連しても良い。実施形態では、コントローラが、第１の行動（例えば容器のキャップを開けること）の音に応じて周辺照明を制御し、第２の行動（例えば製品を容器から供給すること）の音に応じて作業照明を制御する。別の実施形態では、コントローラが、消耗品がなくなっていることを示す音（例えば面に置かれている容器の中空音）を検出し、それに応じて可視指示を生成し又はネットワーク上で信号を伝送する。
2016537763.tif 000002
【特許請求の範囲】
【請求項１】
コントローラと、
マイクロフォンから信号を受け取るための入力部と
を含む機器であって、
前記コントローラは、前記マイクロフォンからの前記信号を処理して利用者による消耗品の使用に関連する音を認識し、前記音を認識することに応じて出力を生成する、機器。
【請求項２】
前記音が、前記消耗品の使用に関連する第１の行動の音である第１の音と、前記同じ消耗品の使用に関連する少なくとも１つの更なる行動の音である少なくとも１つの更なる音とを含み、前記更なる音は前記第１の音と異なるが、前記更なる行動は前記第１の行動に関係し、
前記コントローラが、前記第１の音及び更なる音を認識し、前記第１の音及び更なる音の少なくとも１つを認識することに応じて前記出力を生成する、請求項１に記載の機器。
【請求項３】
前記更なる音が前記第１の音の後に続き、前記コントローラが、前記更なる音を前記第１の音に照らして解釈することによって前記更なる音を認識する、請求項２に記載の機器。
【請求項４】
前記第１の音に照らして前記第２の音の合致が見つからない場合、前記コントローラが前記第２の音に照らして前記第１の音を再び解釈する、請求項３に記載の機器。
【請求項５】
前記コントローラが、前記音の前記認識に基づいて前記消耗品のブランド及び／又は製品種類を識別し、且つ前記ブランド及び／又は製品種類の前記識別に応じて前記出力を生成する、請求項１乃至４の何れか一項に記載の機器。
【請求項６】
前記コントローラが、前記第１の音の前記認識に基づいて前記消耗品の前記ブランド及び／又は製品種類を識別し、且つ前記ブランド及び／又は製品種類に照らして前記更なる音を解釈することにより、前記第１の音に照らして前記更なる音を解釈する、請求項２に従属する請求項５に記載の機器。
【請求項７】
前記出力が、前記消耗品が使用される環境の周辺照明を制御すること、及び／又は前記環境内で前記消耗品が使用される領域を対象とした作業照明を制御することを含む、請求項１乃至６の何れか一項に記載の機器。
【請求項８】
前記コントローラが、前記第１の音を認識することに応じて前記周辺照明を制御する、請求項２に従属する請求項７に記載の機器。
【請求項９】
前記コントローラが、前記ブランド及び／又は製品種類の前記識別に応じて前記周辺照明を制御する、請求項５又は６に従属する請求項７に記載の機器。
【請求項１０】
前記更なる音が、前記消耗品の使用に関連する第２の行動の音である第２の音を含み、前記コントローラが、前記第２の音を認識することに応じて前記作業照明を制御する、請求項２に従属する請求項７乃至９の何れか一項に記載の機器。
【請求項１１】
前記コントローラが、前記第２の音の前記認識に基づいて利用者の行動の種類及び／又は持続時間を識別し、且つ前記利用者の行動の前記種類及び／又は持続時間の前記識別に応じて前記作業照明を制御する、請求項１０に記載の機器。
【請求項１２】
前記音が前記消耗品の消費状況を示す音を含み、且つそれに応じて前記出力が前記消耗品の消費状況についての更なる指示を含む、請求項１乃至１１の何れか一項に記載の機器。
【請求項１３】
前記更なる音が、前記消耗品がなくなっていることを示す音である第３の音を含み、前記コントローラが前記第３の音に応じて前記更なる指示を生成する、請求項２に従属する請求項１２に記載の機器。
【請求項１４】
前記消耗品が予め梱包されており、前記音が梱包に関する行動に関連する、請求項１乃至１３の何れか一項に記載の機器。
【請求項１５】
前記出力は、加熱が使用される環境内で前記加熱を制御することを含む、請求項１乃至１４の何れか一項に記載の機器。
【請求項１６】
前記環境内の利用者の存在を感知するための存在センサから信号を受け取るための入力部を更に含み、前記コントローラが前記感知される存在に更に応じて前記照明及び／又は加熱を制御する、請求項７又は１４に記載の機器。
【請求項１７】
コンピュータ可読媒体上に具現化されるコードであって、１個又は複数個の処理装置上で実行されるとき、
マイクロフォンから信号を受け取る操作と、
前記マイクロフォンからの前記信号を処理して利用者による消耗品の使用に関連する音を認識する操作と、
前記音を認識することに応じて出力を生成する操作と
を実行するコードを含む、コンピュータプログラム。
【発明の詳細な説明】
【技術分野】
【０００１】
本開示は、消費財（消耗品）を使用すること、並びに消費財の使用に関連する利用者の体験を楽しみ及び／又は有用性の点で向上させることに関する。
【背景技術】
【０００２】
「消耗品」とは、使い尽くされることにより、又は使用不能な状態に変形される（リサイクルの可能性を必ずしも除外しない）ことにより、本質的にその通常の使用目的の一環として使い果たされるように意図される製品を含む消費財の物品を指す。典型的には製品は、ガス、エアロゾル、液体、溶液、泡、粉末、固体要素の集まり、又は溶解できる、消化できる、若しくは可燃性の固体等、消耗品が有限の供給を含む物質であり、かかる物質は、製品の通常の使用目的の本質的な一環として使い果たされる。消耗品は、製造業者又は供給業者によって予め梱包される梱包容器も含み得る。梱包容器は製品を利用するために利用者によって開けられ、それ自体使い捨てられても（使い果たされても）再利用できても良い。
【０００３】
消耗品の幾つかの例は、衛生用品又は洗浄用品、食品、文房具、プリンタインク等のコンピュータの消耗品を含む。更なる例は保湿クリーム等の肌用用品であり、温度が上がるにつれ肌用用品の吸収が高まることが知られている。消耗品の分野は、国際標準産業分類（ＩＳＩＣ：International Standard Industrial Classification）（現在改訂３版）によって定められている日用消費財（ＦＭＣＧ：Fast Moving Consumer Goods）を含む。
【０００４】
消耗品は、例えばコンピュータ、電話、ＴＶ、他のユーザ端末、調理器具、トースタ、洗濯機、皿洗い機等の白物家電又は他の家庭用器具、家具、車両等の耐久消費財と対比されることがある。これらの物はいずれは不可避的に使い切られるものの、耐久消費財はそのように意図されておらず、使い果たされる物質の有限の供給は含まない。
【０００５】
消耗品の有限の性質により、対象の利用者（消費者）が同一の消耗品を（通常の状況で１年以上又は典型的には数年もち、そのように保証されることが多い耐久品とは対照的に）１年、１カ月、１週間、更には１日の間に繰り返し購入することが消耗品の意図される用途に固有の性質である。
【０００６】
消耗品及び関連する使用体験を個人化することに消費者は益々関心をもっている。例えば、「2011 Consumer Packaged Goods Industry Perspective」Booz&co.; Leslie Moeller, Jose Gregorio Baquero & Elisabeth Hartley (http://www.booz.com/media/uploads/End_of_Year_Letter_2011_consumer.pdf）を参照されたい。利用者は消耗品を消費することによって満足感を味わい又は存分に楽しみ、この感覚は個人化又は専用化によって向上され得る。
【発明の概要】
【発明が解決しようとする課題】
【０００７】
消耗品は、消耗品自体の単純な美的意匠によって個人化され、又は専用化され得る。しかしその範囲は限られており、消費に関連する特定の行動が行われる瞬間又は特定の関連行動が行われる瞬間等、利用者による消費の特定の状況に意匠が適合することはできないであろう。消耗品を使用する体験を向上させるための技術的手段、とりわけ消耗品の使用に反応することができる手段を探すことが望ましいであろう。
【課題を解決するための手段】
【０００８】
本明細書で開示される一態様によれば、コントローラと、マイクロフォンから信号を受け取るための入力部とを含む機器が提供される。コントローラは、マイクロフォンからの信号を処理して利用者による消耗品の使用に関連する音を検出し、前述の音を検出することに応じて出力を生成するように構成される。使用に関連する音は、製品の消費自体に直接起因する音を含んでいようが、又は消費に関連する他の何らかの関連音を含んでいようが、消耗品の消費（即ち消耗品を使い果たすこと）に関連する如何なる音でも良い。例えば、消耗品は予め梱包されていても良く、コントローラが認識するように構成される関連音は、製品を使用するために梱包容器を開けること、又は消費後に梱包容器を閉めること等、梱包容器に関係する何らかの行動に起因し得る。
【０００９】
実施形態では、音が、消耗品の使用に関連する第１の行動の音である第１の音と、同じ消耗品の使用に関連する少なくとも１つの更なる行動の音である少なくとも１つの更なる音とを含み得る。更なる音は第１の音と異なるが、更なる行動は第１の行動に関係する。例えば更なる音は、第１の音の後に続き得る。コントローラは、第１の音及び更なる音を検出し、それらの音の少なくとも１つを他の音に照らして解釈するように構成され得る。次いでコントローラは、第１の音及び更なる音の少なくとも１つを検出することに応じて前述の出力を生成することができる。
【００１０】
例えば第１の音は、開けられている消耗品の梱包容器の蓋又はキャップの音を含むことができ、且つ／又は更なる音は梱包容器から供給されている製品の音等、第２の行動に関連する第２の音を含み得る。例えば製品は、シェービングフォーム又はデオドラント等の物質を含むことができ、梱包容器はスプレー缶を含むことができ、第１の音は缶からキャップが外される音を含み、第２の音は缶のノズルを通って製品が供給される音を含む。
【００１１】
出力は、消耗品が消費される環境の周辺照明を制御すること、及び／又は環境内で消耗品が消費される領域を対象とした作業照明を制御することを含み得る。別の例として、出力は、消耗品が消費される環境内の放射熱を制御することを代わりに、又は追加で含み得る。
【００１２】
一実施形態では、コントローラが、（梱包容器を開けること等の第１の行動に関連する）第１の音を検出することに応じて周辺照明を制御するように、及び／又は（製品を供給すること等の第２の行動に関連する）第２の音を検出することに応じて作業照明を制御するように構成され得る。例えば第１の音は、消耗品の種類、例えば消耗品のブランド及び／又は消耗品が含む製品種類（即ちシェービングフォーム、シャワージェル等であるか）を識別するために使用されても良く、コントローラはその第１の識別情報を使用して、消耗品の種類に関する所望の雰囲気又は環境に対応する周辺照明の１つ又は複数の照明設定を定めることができる。例えば髭を剃ること又はシャワーを浴びることとして行動を識別し、且つ／又はその行動が概して持続する可能性がどの程度あるかを識別するために、第２の音を使用して消耗品を消費する際に利用者によって行われる行動の持続時間及び／又は種類を識別することができる。コントローラはこの第２の識別情報を使用して、対応する行動領域（例えば流し台又はシャワー）内の作業照明をオンにし、行動に対応する色及び／又は強度設定に作業照明を定め、且つ／又は対応する行動期間にわたって作業照明をオンにすることができる。
【００１３】
別の実施形態では、更なる音は消耗品がなくなっている音を含み得る。例えばこの音は、面に置かれる空又はほぼ空の消耗品の梱包容器の中空音であり得る。別の例は、残り少なくなっているスプレー缶の特徴的な音であり得る。コントローラは、消耗品がなくなっている更なる指示を生成するように構成され得る。例えば更なる指示は、利用者に対する可視指示（例えば別個のＬＥＤインジケータ等の警告灯）を含むことができ、且つ／又は（例えば利用者、供給業者、利用者又は供給業者の自動化エンティティによって作用されるサーバ等のデータストア内に事実のログを取るために）ネットワーク上で信号を伝送することを含んでも良い。更なる音は、消耗品の充填度又は消費状況も示すことができる。例えば、容器の充填度に比例して容器内の音響共鳴が変わることが分かっているため、消耗品の梱包容器のキャップを閉めること又は消耗品の容器を振ること等、消耗品を扱うことに関連する音の音響学的シグニチャから充填度の概算が推論され得る。
【００１４】
実施形態の組合せでは、消耗品がなくなっている音が第２の音に加えて生じる第３の音でも良く、コントローラは第２の音及び第３の音の両方を検出してそれらに作用するように構成され得る。例えばコントローラは、第２の音に応じて作業照明を制御し、且つ／又は第３の音に応じて可視信号若しくはネットワーク信号を生成するように構成され得る。第３の音は第２の音の後に発生し得る。
【００１５】
更なる実施形態では、コントローラが、第１の音を検出することに応じて放射熱（例えば放熱器、対流加熱器、赤外線ヒータ、ＩＲ  ＬＥＤヒータ、ファンヒータ、蓄熱ヒータ、熱ポンプ等）を制御するように構成され得る。例えば、放射熱を加えることによって補助されるであろう使用中の消耗品の種類を識別するために第１の音が使用され得る。コントローラはこの第１の識別情報を使用して、消耗品の種類の所望のレベルに対応する放射熱の１つ又は複数の放射熱設定を定めることができる。
【００１６】
実施形態の更なる組合せでは、この機器が受動型赤外線（ＰＩＲ：passive infrared）センサ、超音波センサ、マイクロ波センサ、飛行時間（ＴｏＦ：time-of-flight）カメラ等のプレゼンスセンサを更に含むことができ、コントローラがプレゼンスセンサから信号を受け取るための第２の入力部を更に含むことができる。
【００１７】
例えばプレゼンスセンサは運動センサを含むことができ、コントローラは、動作検知器からの信号を処理して利用者による消耗品の使用に関連する動きを検出し、前述の動きを検出することに応じて出力を生成するように構成され得る。例えば運動センサは、利用者の動きを識別するために使用され得る。
【００１８】
別の例として、プレゼンスセンサが近接検出器を含むことができ、コントローラが、近接検出器からの信号を処理して利用者による消耗品の使用に関連する近接度を検出し、前述の近接度を検出することに応じて出力を生成するように構成され得る。例えば近接検出器は、利用者の近接度を識別するために使用され得る。
【００１９】
かかる実施形態では、コントローラが利用者の動きを検出することに応じて放射熱を（例えば指向性のあるＩＲ  ＬＥＤヒータ、指向性のあるファンヒータ等によって）方向的に制御するように構成され得る。例えば、放射熱を加えることによって補助されるであろう使用中の消耗品の種類を識別するために第１の音が使用されても良く、消耗品の使用に関連する動きを追跡するために運動センサが使用され得る。次いでコントローラは、消耗品の種類の所望のレベルに対応する放射熱の１つ又は複数の放射熱設定を方向的に制御することができる。
【００２０】
実施形態の更なる組合せでは、コントローラが、利用者の近接度を検出することに応じて放射熱を制御するように構成され得る。例えば、放射熱を加えることによって補助されるであろう使用中の消耗品の種類を識別するために第１の音が使用され得る。消耗品の使用に関連する近接度を検出するために近接検出器が使用され得る。次いでコントローラは、消耗品の種類の所望のレベルに対応する放射熱の１つ又は複数の放射熱設定を制御することができる。
【００２１】
更なる実施形態では、コントローラが、第１の音に照らして解釈することによって更なる音を検出するように構成され得る。これは、第１の音に照らして第２の音を解釈すること、第１の音に照らして第３の音を解釈すること、及び／又は第２の音に照らして第３の音を解釈することを含み得る。例えばコントローラは、第１の音からブランド若しくは製品種類をまず識別して第２の音に関連する行動を検出することができ、且つ／又は第１の音からブランド若しくは製品種類をまず識別して消耗品がなくなっていることに関連する音を検出することができる。一実施形態では、第１の音に照らして第２の音の有意味の又は感知し得る合致が見つからない場合、コントローラは戻って第１の音を再び解釈するように構成され得る。例えば、第１の音が製品Ｘの梱包容器によって作り出されると最初に解釈されたが、第２の音が製品Ｘに関連する予期される音のどれにも合致しないことがその後分かる場合、コントローラは第１の音を次善の推定製品Ｙとして再び解釈することができ、製品Ｙでは第２の音が製品Ｙに関連する予期される音の１つに合致する。ブランドＸを結び付けるために第１の音が使用されるが、その後の第２の音がブランドＸの消耗品の典型的な音に合致しない場合に同様の状況が起こり得る。
【００２２】
本明細書で開示される任意の概念がコントローラを含む機器に関して表現される場合、それらの概念は、コントローラ及び関連する任意の要素を含むシステムに関して、機器及び関連する任意の要素によって行われる操作を実行する方法に関して、又はコントローラの操作を実行するように構成されるコードを含むコンピュータプログラム製品に関して均等に説明され得ることに留意されたい。同様に、任意の概念が方法又はコンピュータプログラムのステップ又は操作に関して開示される場合、それらの概念は適切に構成されたコントローラ又は他の関連要素に関して均等に表現され得る。
【００２３】
本開示の理解を助け、実施形態が実行され得る方法を示すために、添付図面を例として参照する。
【図面の簡単な説明】
【００２４】
【図１】照明システムを含む環境の概略図である。
【図２】照明システムを制御するためのコントローラの拡大ブロック図を含む照明システムの概略ブロック図である。
【図３】消耗品を音によって認識するための方法の一例を示すフローチャートである。
【図４】周波数領域内の音を表す複数の周波数成分の概略スケッチである。
【発明を実施するための形態】
【００２５】
上記で概説されたように、本発明は、消費財に関連する特徴的な音を検出し、その検出に応じて出力を生成する。それによりコントローラは、消耗品を消費する体験が消費、例えば消費に関連する１つ又は複数の行動が行われる瞬間に基づいて制御されることを可能にし、その結果、より専用化された体験を実現できるようにする。
【００２６】
実施形態では、コントローラが、シャンプー又はシェービングクリーム等の日用消費財（ＦＭＣＧ）の作動及び使用の音響解析を使用し、（ｉ）第１の行動（例えば梱包容器を開けること）から生じる第１の音に基づいて製品種類及び／又はブランドを診断し、（ｉｉ）第２の行動（例えば製品を供給すること）から生じる第２の音に基づいて製品の使用に関連する行動の種類及び／又は持続時間を診断する。これにより、例えば周辺照明が（ｉ）第１の行動の音から識別される製品種類及び／又はブランドに応じて設定できるようになり、作業固有照明が（ｉｉ）第２の行動の音から識別される関連する行動に応じて設定できるようになる。
【００２７】
再現可能であり、対象の物品に特有の機械音を使用時に発するように消費財を設計するための技法が存在する。例えば、外される蓋又は元に戻される蓋のカチッという音又はポンという音等、梱包容器が開けられるとき又は閉められるときに特定の音を発するように特定の物品の梱包容器がデザインされても良く、かかる音は特定のブランドに固有であるように作られ得る。例えば、「The Search for Sweet Sounds that Sell」、副題「Household Products’Clicks and Hums Are No Accident; Light Piano Music When the Dishwasher Is Done?”」Ellen Byron; Wall Street Journal, Life and Culture; October 24, 2012（http://online.wsj.com/article/SB10001424052970203406404578074671598804116.html）を参照されたい。別の選択肢は、使用時に、例えば開けられる／閉められるときに特定の電子音を発するように梱包容器内に電子機器を埋め込むことであるあろう（所謂「スマートパッケージング」の事例）。やはりその音は、例えば特定のブランド又は製品種類に関連し、特徴的且つ再現可能であるように構成され得る。別の選択肢は、既存の梱包容器の既存の特徴的な物音を認識するようにコントローラを構成することである。
【００２８】
本発明は、適切な信号処理技法によって認識され得る音響学的シグニチャとして、そのような特徴的な音が使用される可能性を活用する。音響学的シグニチャの解析及び診断に適したアルゴリズムはそれ自体知られており、例えば（http://www.audioanalytic.com/en/）及び米国特許第６，５０７，７９０号を参照されたい。任意選択的に、新たな装置も入手できるようになっており、かかる装置は音の検出に対する方向応答性を与えるための複数のマイクロフォン及び指向性ビーム形成アルゴリズムを含み、それにより不所望のソースからの干渉を減らす。しかし、本発明者らが認識する限り、かかる音認識技法が消耗品の消費に関連するシグニチャを検出するために適用されたことはなく、そうすることによって何らかの利益が生じ得ることをこれまでどの当業者も考えなかった。
【００２９】
消耗品の使用、例えば梱包容器を開けること、梱包容器から製品を供給すること、製品自体を使用し、消費し、塗布することに関連する音を検出するためにかかる音認識技法を使用することにより、製品の一部を使用するときに存分に楽しみ又は満足感を味わう利用者の感覚を高める補足出力を生成すること、又は消耗品の使用に関連する満足感を高めることが可能である。例えば、特定のブランド及び／又は製品種類に関連する音を検出することに応じて、そのブランド及び／又は製品種類に関連する環境若しくは雰囲気を作り出すように周辺照明の色及び／又は強度が自動で制御され得る。或いは、又は加えて、本発明は消耗品の使用に関連する機能及び／又は行動を支援し且つ／又は向上させることができる。例えば、コントローラは行動の種類及び／又は持続時間を検出し、その行動に合わせて作業照明を必要に応じて自動で制御する、例えば髭を剃るために照明を当てるシェービングランプを流し台の上で自動でオンにする、並びに／又は作業光を髭剃りに適した特定の色、強度、及び／若しくは持続時間に設定することができる。
【００３０】
今日、シャンプー、シェービングフォーム、洗浄剤等のＦＭＣＧは、それらが利用される部屋の中の標準的照明を用いて利用されている。使用されている製品の製品種類又はブランドを反映するように周辺照明が適応されることはなく、消費者によって行われている製品に関連する作業を反映するように作業固有照明が調節されることもない。従って、照明製品及びＦＭＣＧは２つの別々の、且つ重複しない市場分野を占める。その特性がＦＭＣＧの種類又は使用に応じて定められる照明製品は知られていない。
【００３１】
図１は、本開示の実施形態による照明システムの一例を示す。この照明システムは、少なくとも１人の利用者１６によって１つ又は複数の消耗品１８が使用され得る環境２内に設置され、さもなければ位置する。環境２は、例えば自宅、オフィス、作業現場、モール、レストラン、バー、倉庫、空港、駅等の部屋、廊下、広間等の屋内空間、庭、公園、街路、スタジアム等の屋外空間、展望台、塔、大テント等の屋根付き空間、車内等の他の任意の種類の密閉空間又は部分的な密閉空間を含み得る。例として、図１の例では対象の環境２が洗面所である。
【００３２】
環境２は、１つ又は複数の照明器具の形態の周辺照明８を含むことができ、周辺照明８は、室内に周辺光１２を放つことによりその環境を照らす、好ましくは環境２のほぼ全体、例えば部屋全体を照らすように構成される。典型的には周辺照明８は、部屋の天井に取り付けられる１つ又は複数の照明器具を含む。環境２は、消耗品１８が使用される特定の領域、即ち消費に関与する作業が利用者１６によって行われる環境２内の特定の（従って環境２よりも狭い）区域又は領域を対象とする作業照明１０を代替的に又は追加で含むことができる。作業照明１０は、対象の領域内にターゲット光１４を選択的に放つように構成される１つ又は複数の作業固有照明器具を含む。作業固有照明１０は、指向性であるという点で対象の領域内に向けることができ、又は単純に室内の作業固有照明１０の配置及び相対的照明範囲によって対象の領域内に向けることができる。例えば図１の例では、消耗品１８が流し台２０の近くで使用されるシェービングクリーム又はシェービングフォームの缶を含む。この場合、作業照明１０は、流し台２０に関連する領域内に光を放ち、それによりその領域を照らすように構成される１つ又は複数の照明器具、例えば流し台の上に及び／又は流し台の背後の壁にある鏡の上に位置する照明器具を含み得る。
【００３３】
これは一例に過ぎず、以下の教示は他の消耗品１８に、及び／又は他の環境２内で適用されても良く、例えば調理器具及び／又は作業面上に作業固有照明がある台所内で予め梱包された食品が開けられ且つ／若しくは準備され、又は化粧台上に作業固有照明がある寝室内で化粧品が使用される。
【００３４】
消耗品１８は消費者製品を含み、梱包容器も概して含む。消耗品１８は、消費者による第１の行動によって使用の準備が行われるときに独特な音響学的シグニチャが引き起こされるように梱包され、さもなければ構成され得る。例えば第１の行動は、シェービングフォームのキャップを開けることや手拭きの箱を開けること等、梱包容器を開けること、及び／又はシェービングフォームの缶を振ること等の別の準備行動を含み得る。例えば製品のブランド、製品種類、及び／又は製品の位置を識別するためにこの第１の行動の音が使用され得る。
【００３５】
消耗品１８は、消費者による第２の行動によって製品が利用されるときに独特な音響学的シグニチャを発生させるように構成されても良い。例えば第２の行動は、シェービングフォームが容器から排出されること又は手拭きを箱から取り出すこと等、製品をその梱包容器から供給することによって利用すること、及び／又は利用者１６によってシェービングフォームが髭剃りに使用されること、手拭きが表面を綺麗にするために使用されること等、別の使用行動を含み得る。例えば、利用者によって行われる第２の行動を含む又は第２の行動に関連する行動の性質、利用者の行動の持続時間、及び／又はその行動の位置を識別するためにこの第２の行動が使用され得る。
【００３６】
この照明システムは、少なくとも１つのマイクロフォン６（又は方向応答性のための複数のマイクロフォン）を含む制御システム４を含む。実施形態では、制御システム４がネットワークの接続性も備えることができる。例えば制御システム４は、壁掛け式の制御ユニット、適切に構成されたアプリケーションを実行するスマートフォン、タブレット、ラップトップ等のモバイル端末、又はビル、複数のビル、若しくは複数の敷地の全域にわたって分散される分散システムの形態であることができる。個別のハウジング内に形成されるユニット又は端末の場合、マイクロフォン６はハウジングの中にあっても外にあっても良い。制御システム及びマイクロフォンは、照明８及び／又は１０の一部とすることができ、且つ／又はそれらの照明と一体化されても良い。
【００３７】
図２は、制御システム４の要素をより詳細に示すブロック図である。制御システム４は、消耗品１８に関連する音を録音するための少なくとも１つのマイクロフォン６と、増幅器７と、アナログ−デジタル変換器（ＡＤＣ）２２と、増幅器７及びＡＤＣ２２を介してマイクロフォン６に結合されるコントローラ２３とを含み、コントローラ２３は、環境２からマイクロフォン６によって捕捉された音を表すマイクロフォン６からの信号を受け取り、それによりその音の少なくとも一部を録音するように構成される。以下の内容は１つのマイクロフォン６のみの観点から説明されるが、実施形態では、特定の方向からの音（従って消耗品１８の使用に関連する特定の行動が行われると予期される領域からの音）を検出の対象とするためのビーム形成技法と共に、２つ以上のマイクロフォン６のアレイを用いて以下の教示が代わりに実装され得る。内部にコントローラ２３が形成される個別のハウジングを有するユニット又は端末を制御システム４が含む場合、マイクロフォン６、増幅器７、及び／又はＡＤＣ２２はハウジングの中にあっても外にあっても良く、又はＡＤＣ及びコントローラ２３がマイクロプロセッサ若しくはマイクロコントローラと一体化され得ることにも留意されたい。
【００３８】
コントローラ２３は、例えば高速フーリエ変換又は周波数領域への他の変換等によるスペクトル解析に基づき、録音された音から音響学的シグニチャを明らかにするように構成される音響アナライザ３２を含む。音響アナライザ３２は、コントローラ２３のメモリ２６上に記憶され、実行時に以下の内容等に従って音を検出する操作を実行するように、コントローラのプロセッサ２４上で実行されるように構成される信号処理ソフトウェアの形態であることができる。或いは、これに含まれる信号処理の一部又は全てが専用のハードウェア回路、又はプログラム可能ゲートアレイ（ＰＧＡ：programmable gate array）又は書替え可能ゲートアレイ（ＦＰＧＡ：field programmable gate array）等の構成可能ハードウェア回路若しくは再構成可能ハードウェア回路内に実装されることも除外されない。
【００３９】
コントローラ２３は、音響学的シグニチャに対する製品データを記憶する（即ち１つ又は複数の消耗品１８のそれぞれの製品データに関連してマップされる１つ又は複数のシグニチャを記憶する）リレーショナルデータベース３０に結合され、又はかかるリレーショナルデータベース３０を含む。このデータベース３０は、音響学的シグニチャに基づいて種類、ブランド、典型的使用法等の１つ又は複数の製品特性を特定することを可能にする。実施形態では、データベースが遠隔地、例えば１つ又は複数のリモートサーバにおいて実装され、ネットワーク３０、例えば無線ローカルエリアネットワーク、ローカル私設イントラネット、広域私設イントラネット等の公衆若しくは私設ローカルエリアネットワーク、又はインターネット等の広域公衆インターネットワークを介してコントローラ２３によってアクセスされ得る。或いは、データベース３０の一部又は全てが制御システム４において局所的に、例えば独立型壁掛け式ユニットのメモリ２６内、又はスマートフォン、タブレット、ラップトップ等のモバイル端末上に実装される制御システムのメモリ２６内に局所的に構成されることも除外されない。
【００４０】
コントローラ２３は、録音された音の音響学的シグニチャに関連する特定された製品の特性及び／又は製品の使用に基づいて、周辺照明８及び／又は作業照明１０を適応させるように構成される照明制御モジュール３４を更に含む。照明制御モジュール３４もやはり、コントローラ２３のメモリ２６上に記憶され、実行時に以下の内容等に従って検出された音に基づいて照明を制御する操作を実行するように、コントローラ２３のプロセッサ２４上で実行されるように構成されるソフトウェアの形態であることができる。或いは、これに含まれる制御機能の一部又は全てが専用のハードウェア回路、又はＰＧＡ若しくはＦＰＧＡ等の構成可能ハードウェア回路若しくは再構成可能ハードウェア回路内に実装されることも除外されない。
【００４１】
この照明システムは、周辺照明８及び／又は作業照明１０を駆動するための１つ又は複数のドライバ２８も含む。ドライバ２８は、照明８、１０を形成する照明器具それぞれのドライバ、又は照明若しくは照明器具の種類ごとのドライバを含み得る。ドライバ２８は、制御システム４の一部と見なされても、照明８及び／又は１０を形成する１つ若しくは複数の照明器具の一部と見なされても良い。制御システム４の一部である場合、個別のハウジング内に形成されるユニット又は端末の事例では、ドライバ２８がハウジングの中にあっても外にあっても良い。照明器具の一部である場合、ドライバはその照明器具のハウジングの中にあっても外にあっても良い。
【００４２】
本明細書で開示される実施形態によれば、コントローラ２３は、消費者によって使用される製品のブランド属性を反映するように周辺照明８を適応させ、消費者が製品を使う間に行う作業を反映するように作業照明１０を適応させるように構成される。コントローラ２３は、シャンプー又はシェービングクリーム等のＦＭＣＧの作動及び使用の音響解析を使用し、（ｉ）第１の行動の音響学的シグニチャ、例えば消耗品の梱包容器を開ける音を検出することに基づいて製品種類及びブランドを診断し、（ｉｉ）第１の行動を含み又は第１の行動に関連する第２の行動の音響学的シグニチャ、例えば消耗品によって構成される製品を供給し且つ／又は使用する音を検出することに基づいて製品の使用に関連する行動の種類及び持続時間を診断する。これにより、周辺照明８が第１の行動から識別される製品種類及びブランドに応じて設定できるようになり、作業固有照明１０が関連する第２の行動に応じて設定できるようになる。
【００４３】
これに役立つ代替的態様が少なくとも２つある。１つの態様は、特有だが再現可能な音を開けるときに発するように設計されるＦＭＣＧ又は他の製品用の容器を提供することである。消耗品は、第１の行動が行われるときに音を発するように音響学的に設計され、その音の音響学的シグニチャは特定の製品種類及び／又はブランドに固有だが、同じ種類及び／又はブランドの物品の間で再現可能でもある。これは、（例えば）梱包容器のキャップ及びその関連する保持構造を設計することによって実現され得る。例えばキャップは、様々な減衰期間、様々なインパルス数等を有するように、保持構造から取り外されるときに様々な周波数で共鳴するように構築され得る。
【００４４】
もう１つの態様は、既存の消耗品の音を使用し、「学習フェーズ」中にそれらの音の音響学的シグニチャを既存の消耗品のバーコード内のブランド情報及び製品種類情報に関連付けることである。
【００４５】
何れにしても、１つ又は複数のマイクロフォン６の少なくとも１つによって音が検出される。次いで、デジタル信号プロセッサ２４上で実行される音響アナライザ３２が使用され、高速フーリエ変換を使用して信号を周波数領域に変換し、周波数成分の大きさが連続した時間間隔で記憶され、それにより、（ｉ）（第１の行動に基づく）製品種類及びブランド、並びに（ｉｉ）製品の使用（第２の行動）に関連する行動の種類及び持続時間の両方を求めるために、経時変化する音の周波数解析又は音響学的シグニチャが得られる。
【００４６】
次いで、これらの音響学的シグニチャが第１の行動及び第２の行動の基準シグニチャと比較される。この音響学的シグニチャは解析され、データベース３０内に保持される一連の音響学的シグニチャと比較され、データベース３０は、ブランド及び製品種類に対する第１の行動の音響学的シグニチャのマッピング並びにそれらに関連する周辺光設定を含む。第２の行動の音響学的シグニチャも解析されてデータベース３０内に保持される一連の音響学的シグニチャと比較され、データベース３０は、第１の行動の音響学的シグニチャによって識別されるブランド及び製品に関連し得る対応する行動に対する第２の行動の音響学的シグニチャのマッピング、更には第２の行動のシグニチャに関連する作業光設定へのマッピングを含む。アナライザ３２は、第１の行動に照らして第２の行動の診断を行い、より正確な文脈上の合致をもたらすことができる。
【００４７】
かかる実施形態に基づきデジタル信号プロセッサは、複数の同様のシグニチャを含むデータベースから、許容できる偽陽性又は偽陰性の数を示して、第１の行動及び第２の行動によって作り出される音響学的シグニチャをそれらが正しく識別され得る程度にまで解析することができる。
【００４８】
任意選択的に、第２の音響学的シグニチャが第１の音響学的シグニチャに即した対応する行動と合致され得ない場合、第１の音響学的シグニチャが第１の行動のデータベースに対して再びマップされ、マップし直された第１の音響学的シグニチャに照らして第２の音響学的シグニチャの解析が再び実行され得る。或いは、第１の音響学的シグニチャが、第２の音響学的シグニチャに照らして第１の行動のデータベースに対してマップし直されても良い。第２の行動が第１の行動とは無関係にのみ診断され得る場合、第１の行動及び第２の行動は両方の行動の基準に対する最良適合に従って診断され、第１の音の診断の記録が適切に更新され得る。例えば音響アナライザ３２は、音を認識することに関する信頼値又は確率を出力し、何らかの適切な適合基準又は適合アルゴリズムに従って第１の音及び第２の音の最も優れた信頼値の組合せを与える方法で、第１の音及び第２の音の最良の診断が一緒に選択されても良い（例えば平均誤差又は平均二乗誤差等を最小化し、それぞれの音の「誤差」は例えば１００％の信頼度とその音の被選択診断の信頼値との差、又は被選択診断の信頼値と隔離して診断される場合にその音にあり得るであろう最大信頼値との差であっても良い）。
【００４９】
実施形態では、一般的な（ノーブランドの）製品種類が存在する場合があり、合致の確率が低い場合に特定の動作が実行され得る（例えば無視、初期設定等）。例えば、特定の音を認識することに関する信頼値が閾値を下回る場合、音響アナライザ３２は有意味の認識ができないと判定することができる。この場合、コントローラ２３は周辺照明及び／又は作業照明に初期設定を適用し得る。音の１つのみが認識され得る場合、コントローラ２３は、認識された音に依存する初期設定の動作を適用することができる。例えば、第２の音からは行動の種類を認識できず、第１の音からブランドのみが認識され得る場合、コントローラ２３は識別されたブランド用の初期設定の作業光１４を適用することができる。又はブランドではなく行動の種類のみが認識され得る場合、コントローラ２３は識別された行動の種類のための初期設定の周辺光１２を適用することができる。
【００５０】
もう１つの選択肢として、「学習モード」内で利用者によって第１の行動のデータベースに新規のエントリが追加され得る。学習モードでは、データベースにまだ含まれていない製品の音響学的プロファイルをシステムが「学習」することができる。同様の学習手法が第２の行動のデータベースに、更には第３の行動のデータベースにも適用され得る。
【００５１】
このようにして周辺光及び作業光の設定が、第１の行動及び第２の行動の基準シグニチャに関連付けられる。第１の行動について合致が識別される場合、診断された第１の行動に応じて周辺光設定を定める信号が照明制御モジュール３４に伝えられる。同様に第２の行動が識別される場合、第２の行動が行われている間、第２の行動のための対応する作業光設定が照明制御モジュールにロードされる。第２の行動を含む、又は第２の行動に関連する行動が終わった後、周辺照明及び作業照明の両方がその初期設定に戻る。
【００５２】
かかる実施形態は、消費者によって使用される製品のブランド属性を反映するように周辺光１２が適応されること、及び消費者が製品を使う間に行う作業に作業光１４が適応されることを有利に可能にする。様々なＦＭＣＧに関連する行動に、（ｉ）製品に固有の及び（ｉｉ）行われている作業に適応される照明が与えられ得る。
【００５３】
これは広範な製品にわたって適用可能とすることができ、例えばシェービング、クリーニング及び他のＦＭＣＧは、通常受ける照明とは異なる作業固有の照明条件から恩恵を受けることができる。クリーニング剤は白色光の恩恵を受けることができ、シェービングは直接照明を必要とする場合があり、美容製品は塗るための直接白色照明及びテスト用のデスティネーションライトを必要とし得る。この機器は、特定の照明（例えば情報／指示リーフレットを読むための作業光）を引き起こすためにブリスター包装又は溶解発泡錠の特徴的な音が使用され得る薬剤分野に、例えば飲料用缶又はビール瓶を開ける音がブランドのしるし（コーラ又はビールの特定のブランド等）を与え、それによって適切な周辺光を設定することができる飲料品又は食料品の使用の際に、及び料理のための食品の使用等の際にも適用可能であり得る。
【００５４】
例えば周辺光設定は、製品の梱包容器を開ける音響学的シグニチャによって引き起こされても良く、作業光は製品を使用する音響学的シグニチャによって引き起こされても良い。一例では、周辺光設定が製品のブランド、例えばシェービングフォームの特定のブランドに対しては青っぽい周辺光を反映することができ、作業光は、製品が使用される位置において製品の使用中に製品の使用、例えば髭を剃る間に顔面を照らすことを支援することができる。
【００５５】
使用事例の一例を与えるために、或る利用者が通常の洗面所の照明で洗っている。その利用者が特定のブランドＸのシェービングフォームの缶を開ける。その消耗品はブランドＸのシェービングフォームであると照明システムによって識別され、製品のために周辺照明及び作業照明を調節する。利用者が幾らかのシェービングフォームを出して髭を剃り始める。作業固有照明を特定の行動に合わせるために、この行動の音響学的シグニチャが使用される。キャップが製品に元通りに取り付けられると（又は製品の使用に関する行動の音響学的シグニチャがもはや検出されなければ）、照明設定がその初期設定に戻される。
【００５６】
別の例では、周辺光及び作業光の種類及び開始がどちらも、製品の梱包容器を開ける音響学的シグニチャによって引き起こされても良く、周辺光及び作業光のリセットが梱包容器を閉める音響学的シグニチャによってトリガされ得る。一例では、マスカラの容器を開ける音響学的シグニチャがマスカラのブランドを明らかにし、マスカラの使用を引き起こすことができ、従って周辺光及び作業光の両方を同時に設定するのに対し、マスカラの容器を閉める音響学的シグニチャはその行動の終わりを示すことができ、従って周辺光及び作業光の両方をリセットする。
【００５７】
更なる使用事例は、例えば食品が保管されている冷蔵庫を開ける音、食品を調理するために調理器具又は換気扇をオンにする音、石鹸を後で投入するために洗濯機の扉を開ける音、シャワージェルが後で使用されることに結び付けられ得るシャワーをオンにする音等、消耗品に関連し得る且つ／又は消耗品の使用に関係し得る装置によって作り出される音に基づき得る。これらの装置は消耗品の使用に関連すると見なされ得るため、消耗品の使用に備えて出力信号、例えば周辺光の生成を引き起こすことができる。かかる装置の音を解釈することの更なる利点は、それらの音が、食品から梱包容器を取り除く音又はシャワージェルの容器を開ける音等、その後の更なる音を解釈するための文脈を定めるためにも使用され得ることである。
【００５８】
音響学的シグニチャに関連する行動が、第１の又はその後の音響学的事象に応じて定められ得る。例えば特定のブランドのシェービングフォームが使用されていることを第１の音響学的事象が示す場合、最大で計５回のその後の音響学的事象がその製品に関連し得ると判定され、各音響学的事象に関連する照明動作が直前の事象に照らして関連付けられ得る。例えば、第１の事象は周辺光を設定する缶を開けることであり得るが、診断される製品種類に基づき、消費者が製品を利用する前に更に２回の音響学的事象（シェービングフォームを出すこと及び缶を閉めること）が生じると計算される。従って、４回目の音響学的事象（フォームを利用すること）になって初めて作業固有照明が設定される。５回目の音響学的事象（又は次の音響学的事象がないこと）は利用の終わりを示す（この事例では音響学的事象が例えば剃刀を洗う水の音として定められ得る）。
【００５９】
更に、全般的なシステムレベルでは、消費者によって使われている製品のブランド及び／又は種類を明らかにするために音響学的シグニチャを使用し、次いで製品の使用に関係する特性を診断することが開示され、これはＦＭＣＧの梱包容器を設計すること、並びに関係する２つの音響学的プロファイルを検出して診断するための電子システムを提供することを含み得る。
【００６０】
別の代替的実施形態又は追加の実施形態では、例えば補充品を買うときを照明又は他の手段によって利用者に知らせるために、製品がなくなっているときの指示を与えるようにシステム４が構成され得る。コントローラ２３の音響アナライザ３２及びデータベース３０は、ＦＭＣＧ容器の使用状況（例えば満杯、半分入っている、空等）を診断するように構成され得る。これは、容器が硬い面に置かれるとき又は容器を閉めるときの音響共鳴を診断することによって等、マイクロフォン６を使用してこの第３の行動に関連するシグニチャを検出することによって実現され得る。それに応じてコントローラ２３が適切なインジケータを消費者のために制御し、それにより消耗品の状況に関する指示を例えば点滅光及び／又はその情報をネットワーク上で伝えることによって利用者に与える。
【００６１】
コントローラ２３は、第１の行動及び／又は第２の行動に照らしてこの第３の行動を処理するように構成され得る。例えば、第３の行動の音響学的シグニチャが面に置かれたときのＦＭＣＧ容器の共鳴を表す場合、この音響学的シグニチャは容器に入っている量に応じて変わり得る。これらの差が検出され、診断され、周辺光、作業光、又は他の光を制御して容器の状況（満杯、半分入っている等）の可視指示を与えることができる。もう１つの選択肢は、例えば利用者が電子メール又はＩＭメッセージによってアラートを受信するようにサーバ上に事実を記録するために、又は利用者がオンラインアカウントに次回ログインするときに等、この情報が任意のネットワーク装置に伝えられることである。
【００６２】
図３及び図４は、第１の行動及び第２の行動の音の音響学的シグニチャを診断するためのあり得るアルゴリズムを例示する（同様の手法が第３の行動から生じる容器の共鳴の測定についても機能する）。
【００６３】
ステップＳ１０で、増幅器７の利得を調節することにより、マイクロフォン６からの入力信号に対して自動利得制御が適用される。ステップＳ２０で、入力信号に対してトリガポイントが定められ、時間ｔ＝０と定める。ステップＳ３０で、音響アナライザ３２が入力信号から時間領域内のサンプルを取得する。ステップＳ４０で、アナライザ３２が正規化レベルまでサンプルを正規化する。ステップＳ５０で、アナライザ３２がサンプルにノイズフィルタリング操作を施す。音響アナライザ３２はこうして、入力信号を表す１組の時間領域サンプルを得る。ステップＳ６０で、アナライザ３２が、或る時間窓にわたる入力信号の一部を表すそれらの時間領域サンプルのサブセット＜ｎ＞をメモリ２６内に記憶し、窓はｔ＝０としてインデックスを付けられる。ステップＳ７０で、アナライザが周波数領域変換を適用して＜ｎ＞の時間領域サンプルを周波数領域に変換する。例えばこの変換は、高速フーリエ変換（ＦＦＴ）等のフーリエ変換、又は離散コサイン変換等であり得る。図４内で概略的に且つ例として示されているように、これにより周波数領域内の１組のサンプルがもたらされる。各周波数領域サンプルはそれぞれの周波数において一定の強度値を含み、それにより、周波数スペクトル内の様々な周波数における強度に関して信号を表している。ステップＳ９０で、アナライザ３２がそれらの周波数領域サンプルをメモリ２６内に記憶する。ステップＳ１００で、マイクロフォン６からの入力信号のその後の時間窓に進むために、アナライザが時間インデックスｔを＋１増加させる。次いで音響アナライザ３２は、時間ｔ＝Ｔにおいて一定の適当に多数の窓が捕捉されるまでステップＳ６０からステップＳ１００を繰り返す。こうして音響アナライザ３２は、複数の時間窓のそれぞれにわたる入力信号のスペクトル表現を記憶する。このことは、入力信号の経時変化するスペクトル表現を与える。ステップＳ１１０で、音響アナライザ３２がこのスペクトル表現をデータベース３０内に記憶されているシグニチャと比較し、合致が見つかるかどうかを判定する。
【００６４】
代替策は、テンプレートシグニチャを入力信号と突き合わせるために、時間領域内で照合フィルタ（matched filter）を適用することであろう。
【００６５】
更なる実施形態では、照明の代替策として、又は照明に加え、システムが放射熱を与えるための１つ又は複数のヒータ、例えばＩＲ  ＬＥＤヒータを含むことができる。コントローラは、上記の実施形態で説明されたのと同様の方法で第１の音及び／又は更なる音に応じて放射熱を制御するように構成され得る。例えばシステムは、放射熱を加えることによって補助されるであろう消耗品が使用されているときを識別することができる。システムは、「利用後の」任意の処理から恩恵を受けるであろう消耗品、即ち使用の中止後に照明及び／又は放射熱を更に制御する必要がある製品が使用されているときを更に識別することができる。それに応じて、コントローラは加熱を活性化し又は加熱方向をしかるべく制御することができる。
【００６６】
更に、システムは環境２内の利用者の存在を感知するためのプレゼンスセンサを含むことができる。その場合コントローラ２３は、認識された音及び検出された存在の両方に応じて加熱及び／若しくは照明を活性化し、且つ／又は加熱及び／若しくは照明の方向を適応させるように構成され得る。このことは、例えば作業照明及び／又は放射熱の適用がより適切な方法で制御されることを可能にするであろう。例えば、利用者がリップスティックを塗るとき、その動きが放射熱によってマッチされ得る。
【００６７】
例えばプレゼンスセンサは近接センサを含むことができる。近接センサからの信号に応じて放射熱が制御され得る。その場合コントローラ２３は、認識された音及び検出された動き又は近接度の両方に応じて加熱及び／若しくは照明を活性化し、且つ／又は加熱及び／若しくは照明の方向を適応させるように構成され得る。例えばこのことは、ＩＲ  ＬＥＤヒータからの利用者の距離が変わっても、利用者の位置におけるより安定した放射熱レベルを可能にするであろう。
【００６８】
使用事例の一例として、或る利用者が通常の洗面所の照明で洗っている。その利用者が特定のブランドＹのリップスティックの容器を開ける。この消耗品はブランドＹのリップスティックであり、この製品が或る期間にわたる継続的放射熱の「利用後の」処理を必要とすることがシステムによって識別される。利用者がリップスティックを塗るとき、放射熱の方向を特定の行動に合わせるために使用される運動センサによってこの行動の動きが追跡される。キャップが製品に元通りに取り付けられると（又は製品の使用に関する行動の音響学的シグニチャがもはや検出されなければ）、所望の「利用後の」処理レベルで放射熱がその期間にわたって継続する。上記の実施形態は専ら例として説明されてきたことが理解されよう。特許請求の範囲に記載の本発明を実施する際、図面、本開示、及び添付の特許請求の範囲を検討することにより、開示された実施形態に対する他の改変形態が当業者によって理解され、もたらされ得る。特許請求の範囲では、「含む」という語は他の要素又はステップを排除せず、不定冠詞「１つの（a）」又は「１つの（an）」は複数形を排除しない。単一のプロセッサ又は他のユニットが、特許請求の範囲の中で挙げられる幾つかのアイテムの機能を果たすことができる。或る手段が互いに異なる従属請求項の中で列挙されるという単なる事実は、それらの手段の組合せが有利に使用されてはならないことを示すものではない。コンピュータプログラムは、他のハードウェアと共に供給されるか、又は他のハードウェアの一部として供給される、光学記憶媒体又はソリッドステート媒体等の適切な媒体上に記憶／分散され得るが、インターネット又は他の有線若しくは無線通信システムによって等、他の形態で分散されても良い。特許請求の範囲の中の如何なる参照符号も範囲を限定するものとして解釈すべきでない。
【図１】
2016537763.tif 000003
【図２】
2016537763.tif 000004
【図３】
2016537763.tif 000005
【図４】
2016537763.tif 000006
【国際調査報告】
2016537763.tif 000007
2016537763.tif 000008
2016537763.tif 000009